(57)【要約】      （修正有）【課題】簡易に装着することができるとともに、ずれを有効に防止することができるウィッグを提供する。【解決手段】毛髪１０と、当該毛髪１０が植毛された頭部全体を覆うベース部２０と、ベース部２０に取り付けられた帯状部３０と、を有するウィッグであって、帯状部３０は、右側頭骨から左側頭骨に渡る長さを有した伸縮性のある平たい部材により構成されており、頭皮と当接する側の表面に、長尺方向の半分以上の部分において膜状の滑り止め部３１が形成されている伸縮体である。【選択図】図２
0003226572.tif 000002
【実用新案登録請求の範囲】
【請求項１】
毛髪と、
当該毛髪が植毛された頭部全体を覆うベース部と、
前記ベース部に取り付けられた帯状部と、を有するウィッグであって、
前記帯状部は、右側頭骨から左側頭骨に渡る長さを有した伸縮性のある平たい部材により構成されており、頭皮と当接する側の表面に、長尺方向の半分以上の部分において膜状の滑り止め部が形成されている伸縮体である、ウィッグ。
【請求項２】
前記ベース部は、医療用両面テープを貼付するための生え際部を備えており、
前記帯状部の両端部が、前記生え際部に形成されている、請求項１に記載のウィッグ。
【請求項３】
前記帯状部は、両端が前記ベース部に固定されている一方、中央部分が前記ベース部に固定されておらず、前記ベース部に対する前記滑り止め部の位置が自在に調整可能である、請求項１または２に記載のウィッグ。
【請求項４】
前記帯状部は、長さ調整機構により長さが調整可能である、請求項１ないし３のいずれかに記載のウィッグ。
【請求項５】
前記帯状部の一方の端部のみが前記ベース部に固定されており、
前記ベース部に取り付けられた長さ調整機構により、前記帯状部の一方の端部を把持することで、前記帯状部の長さが調整可能である、請求項１または２に記載のウィッグ。
【請求項６】
前記帯状部は、前記ベース部に自在に着脱可能であり、交換可能となっている、請求項１ないし５のいずれかに記載のウィッグ。
【請求項７】
前記滑り止め部は、シリコーン樹脂により構成されている、請求項１ないし６のいずれかに記載のウィッグ。
【請求項８】
前記滑り止め部の幅は０．５〜６である、請求項１ないし７のいずれかに記載のウィッグ。
【考案の詳細な説明】
【技術分野】
【０００１】
本考案は、頭部に装着するウィッグ（かつら）に関する。
【背景技術】
【０００２】
近年、抗がん治療などにより抜けた頭髪の代わりに、またはファッションの一部として、人間の毛髪や人工毛髪をメッシュ素材に植毛したウィッグの需要が高まっている。しかしながら、ウィッグは、頭部にフィットするように装着することで頭部にある程度固定することができるが、使用者の動作や風などの外部環境によっては、装着後にウィッグの位置がずれてしまう場合があった。
このような問題に対して、たとえば特許文献１では、ウィッグベースの裏側（頭皮と接触する側）にずれ防止用のピン（金属製の留め具等）を縫着したウィッグが開示されている。
【先行技術文献】
【特許文献】
【０００３】
【特許文献１】特開２０１８−０１６９０３号公報
【考案の概要】
【考案が解決しようとする課題】
【０００４】
しかしながら、特許文献１では、ウィッグを装着する際に、ずれ防止用のピンを使用者の毛髪や専用ネット（ウィッグを装着するために使用者が頭部に装着するネット）に取り付ける必要があり、ウィッグの装着作業が煩雑となってしまうという問題があった。
【０００５】
本考案は、簡易に装着することができるとともに、ずれを有効に防止することができるウィッグを提供することを目的とする。
【課題を解決するための手段】
【０００６】
本考案のウィッグは、毛髪と、当該毛髪が植毛された頭部全体を覆うベース部と、前記ベース部に取り付けられた帯状部と、を有するウィッグであって、前記帯状部は、右側頭骨から左側頭骨に渡る長さを有した伸縮性のある平たい部材により構成されており、頭皮と当接する側の表面に、長尺方向の半分以上の部分において膜状の滑り止め部が形成されている伸縮体である、ウィッグ。
上記ウィッグにおいて、前記ベース部は、医療用両面テープを貼付するための生え際部を備えており、前記帯状部の両端部が、前記生え際部に形成されているように構成することができる。
上記ウィッグにおいて、前記帯状部は、両端が前記ベース部に固定されている一方、中央部分が前記ベース部に固定されておらず、前記ベース部に対する前記滑り止め部の位置が自在に調整可能であるように構成することができる。
上記ウィッグにおいて、前記帯状部は、長さ調整機構により長さが調整可能であるように構成することができる。
上記ウィッグにおいて、前記帯状部の一方の端部のみが前記ベース部に固定されており、前記ベース部に取り付けられた長さ調整機構により、前記帯状部の一方の端部を把持することで、前記帯状部の長さが調整可能であるように構成することができる。
上記ウィッグにおいて、前記帯状部は、前記ベース部に自在に着脱可能であり、交換可能となっているように構成することができる。
上記ウィッグにおいて、前記滑り止め部は、シリコーン樹脂により構成されているように構成することができる。
上記ウィッグにおいて、前記滑り止め部の幅は０．５〜６ｃｍであるように構成することができる。
【考案の効果】
【０００７】
本考案によれば、簡易に装着することができるとともに、ずれを有効に防止することができるウィッグを提供することができる。
【図面の簡単な説明】
【０００８】
【図１】本実施形態に係るウィッグを装着した状態を示す図である。
【図２】第１実施形態に係るウィッグの装着面側を示す側面図である。
【図３】滑り止め部の位置の調整を説明するための図である。
【図４】滑り止め部の位置調整機構を説明するための図である。
【図５】滑り止め部の変形例を示す図である。
【図６】第２実施形態に係るウィッグの装着面側を示す側面図である。
【図７】ウィッグの変形例を示す図である。
【考案を実施するための形態】
【０００９】
《第１実施形態》
以下、本考案に係るウィッグを、図に基づいて説明する。図１は本実施形態に係るウィッグ１を使用者が装着した状態を示す図であり、図２は第１実施形態に係るウィッグ１の装着面側（使用者の頭部と接する側）を示す側面図である。
【００１０】
本実施形態に係るウィッグ１は、図１に示すように、頭部に装着するものであり、図２に示すように、毛髪１０と、毛髪１０が植毛されたベース部２０と、ベース部２０に取り付けられた帯状部３０とを有する。ウィッグ１は、病気等により頭部全体に毛髪がない人も対象としたものであり、頭部全体を覆う全頭フルウィッグであり、部分ウィッグではない。また、本実施形態に係るウィッグ１は、毛髪がある人も使用することは可能である。
【００１１】
毛髪１０は、人間の毛髪でもよいし、人工毛髪でもよい。毛髪１０は、頭部全体を覆うベース部２０に植毛されている。ベース部２０は、通気性に優れた合成繊維素材や綿、麻、絹などの天然性素材から構成された網状の布材であり、全頭を覆う形状である。ベース部２０は、医療用のメッシュ素材により構成してもよい。ベース部２０には、図２に示すように、つむじや髪の分け目が形成されるメッシュ素材積層部２１と、可塑性の部材を有するこめかみ部２２と、ウィッグ１のサイズを調整するためのサイズ調整部２３とが設けられている。
【００１２】
メッシュ素材積層部２１は、合成繊維素材などのメッシュシートを２枚以上、より好ましくは３枚以上重ねて形成されている。メッシュ素材積層部２１は、つむじや髪の分け目が形成される部分であり、単一のメッシュ素材だけでは、使用者の頭皮や髪が見えてしまう場合や、つむじや髪の分け目を形成することが困難な場合があった。これに対して、本実施形態に係るメッシュ素材積層部２１は、メッシュ素材を２枚以上、より好ましくは３枚以上重ねた積層構造とすることで、毛髪１０にいわゆる「くせ」を付けることが可能となり、つむじや分け目を適切に形成することができるとともに、つむじや分け目の部分を自然な地肌のように見せることができる。また、本実施形態では、メッシュ素材積層部２１の表面（使用者の頭部に接しない側）のメッシュ素材として、フレンチレースまたは絹を用いることで、つむじや分け目をより自然な地肌のように見せることができる。
【００１３】
こめかみ部２２は、ウィッグ１を装着した際に使用者のこめかみ近傍に位置する部位であり、Ｖ字状となっているため比較的めくれやすい部分である。本実施形態に係るウィッグ１では、こめかみ部２２のめくれを抑制するために、こめかみ部２２にワイヤーや金属板などの可塑性の部材を織り込んでいる。使用者は、たとえばワイヤーを内側に折り曲げることで、こめかみ部２２のこめかみへの密着性を高くすることができる。
【００１４】
サイズ調整部２３は、ウィッグ１の大きさを調整するための部分であり、紐部２３１と、コキなどのアジャスタ２３２とを有する。本実施形態では、頭部に対して前後方向（図２の左右方向）に延在する紐が、紐部２３１に埋め込まれており（図２において破線で示す）、当該紐を後方向（図２の右方向）に引っ張ることで、紐部２３１の前後方向（図２の左右方向）における長さを短くすることができる。また、アジャスタ２３２は、紐を一定の位置で把持することで、調整したウィッグ１のサイズを維持することができる。
【００１５】
生え際部２５は、医療用両面テープを貼付する箇所であり、いわゆる人工皮膚シート（たとえばウレタンシート）をベース部２０に積層して形成される。生え際部２５は、ベース部２０の外縁からたとえば１．５〜３ｃｍ幅で形成される。後述の帯状部３０の両端部３２，３２は、生え際部２５に設けることが好ましい。医療用両面テープによる密着力に加え、左右の生え際部２５を架橋する帯状部３０によりウィッグ１のズレを防ぐことができるからである。なお、帯状部３０の両端部３２をベース部２０（生え際部２５）に固定する構成は、特に限定されず、たとえば、両端部３２をベース部２０（生え際部２５）に縫合してもよいし、ベース部２０（生え際部２５）にボタンを設け、両端部３２にボタンホールを設け、ベース部２０（生え際部２５）に設けたボタンを両端部３２のボタンホールに通すことで、両端部３２をベース部２０（生え際部２５）に固定する構成としてもよい。
【００１６】
次に、本実施形態に係る帯状部３０について説明する。帯状部３０は、図２に示すように、使用者の頭部に対して左右方向に延在する部材であり、ゴムバンドなどの伸縮性のあるフラットな素材で構成されている。装着感を高めるためには、帯状部３０の厚みは３ｍｍ以下（好ましくは２ｍｍ以下、より好ましくは１．５ｍｍ以下）に構成する。また、帯状部３０は、図２に示すように、少なくとも表面（使用者の頭部と接する面）に、全長の半分以上の長さ（たとえば累積１５ｃｍ以上）にわたって滑り止め部３１が設けられている。滑り止め部３１も、帯状部３０と同様に、使用者の頭部に対して右側頭骨から左側頭骨にかけて左右方向（左右の耳を結ぶ直線と平行）に延在して形成されている。
【００１７】
また、図３に示すように、滑り止め部３１は、ベース部２０のうち、使用者がウィッグ１を装着した場合に使用者の頭頂部または中央部に対応する位置に取り付けられる。ベース部２０は、部分ウィッグではなく、頭部全体を覆うウィッグ用のものであることから、ズレを防ぐために滑り止め部３１を設けている。特に毛髪１０がロングヘアーである場合、毛髪１０自体が一定の重量を有することから、滑り止め部３１はズレ防止に効果的である。ここで、図３は、滑り止め部３１の取り付け位置を説明するための図である。本実施形態において、帯状部３０は、両方の端部３２，３２がベース部２０の右側頭骨および左側頭骨の位置に固定されている一方、端部３２，３２以外の部分（滑り止め部３１を含む部分）はベース部２０に固定されておらず、使用者の頭部の形状に合わせて、滑り止め部３１の位置を変更することが可能となっている。たとえば、使用者は、ウィッグ１の購入後に、帯状部３０（滑り止め部３１）の中央部分をベース部２０の頭頂部または中央部のうち使用者が好みとする位置に縫い付けること或いは係止具で固定するで、図３に示すように、滑り止め部３１の位置を自在に決定することができる。なお、図３においては、滑り止め部３１を、図２に示す位置とは別の位置に取り付けた状態を破線で示している。たとえば、図３に示すように、滑り止め部３１は、図２に示す位置よりも上の位置（頭頂部側の位置）に取り付けることもできるし、図２に示す位置よりも下の位置（頭頂部下側の位置）に取り付けることもできる。また、滑り止め部３１をベース部２０に固定する方法は、縫合に限定されず、帯状部３０の裏側（使用者の頭部と接しない側）とベース部２０の頭頂部に対応する部分に面ファスナーやボタン、フックなどを設けることで、滑り止め部３１をベース部２０の所望の位置に固定する構成とすることもできる。たとえば、図４に示すように、ベース部２０に滑り止め部３３１の位置調整機構２６を備える構成とするができる。本実施形態において、位置調整機構２６は、帯状の部材であり、図４に示すように、後頭部から頭頂部にかけて延在するように、ベース部２０に縫合などにより固定されている。また、位置調整機構２６のうち、帯状部３０の裏生地（頭部と接しない側の生地）と接する面（頭部側の面）は、ベロア、ベルベット、ベッチン、コーデュロイなどのカットパイル生地で構成されている。これらのカットパイル生地は、同一方向に極短毛の立ち上がりがあり、その極短毛に別素材の生地が絡んで固定させる特性があり、帯状部３０の裏生地をカットパイル生地に固定される生地で構成することで、使用者は、帯状部３０を位置調整機構２６の所望の位置まで動かしてベース２０に固定することで、帯状部３０を所望の位置に固定させることができる。さらに、使用者は、滑り止め部３１をベース部２０に固定しない状態で使用することもできる。
【００１８】
帯状部３０に形成する滑り止め部３１は、装着感を高めるために、膜状に構成することが好ましい。また、頭皮に直接接する部分であることから、医療用の材料により滑り止め部３１を構成することが好ましい。本実施形態において、滑り止め部３１は、シリコーン樹脂から構成される。ただし、滑り止め部３１の素材は、シリコーン樹脂に限定されず、ポリ塩化ビニル、アクリル樹脂またはポリウレタンなどを用いる構成とすることができる。また、本実施形態では、図２に示すように、滑り止め部３１は、帯状部３０と同様に、使用者の頭部に対して左右方向に延在しているとともに、帯状部３０の幅よりも狭い幅で形成されている。滑り止め部３１の幅は、特に限定されないが、ウィッグ１のずれを適切に防止するために０．５〜６ｃｍの範囲であることが好ましく、２〜４ｃｍの範囲であることがより好ましい。また、滑り止め部３１の構成は、上記例に限定されず、帯状部３０の表面全体に形成する構成としてもよいし、また、図５（Ａ）に示すような波線状としてもよいし、図５（Ｂ）に示すような縦線状としてもよいし、図５（Ｃ）に示すようなドット状としてもよいし、図５（Ｄ）に示すような横線状としてもよい。なお、図５は、滑り止め部の変形例を示す図である。
【００１９】
以上のように、第１実施形態に係るウィッグ１は、毛髪１０と、毛髪１０が植毛されたベース部２０と、ベース部２０に取り付けられた帯状部３０とを有し、当該帯状部３０は、少なくとも表面に平面状の滑り止め部３１を有している。滑り止め部３１が平面状に形成されているため、従来のようにピン止めなどの煩雑な作業を行うことなく、ウィッグ１を装着するだけで、滑り止め部３１と使用者の頭頂部または中央部とが面で接し、ウィッグ１のずれを抑制することができる。その結果、簡易に装着することができるとともに、ずれを有効に防止することができるウィッグ１を提供することができる。
【００２０】
また、第１実施形態に係るウィッグ１では、帯状部３０および滑り止め部３１が使用者の頭部に対して左右方向に延在するため、ウィッグ１の左右方向のずれを適切に抑制することができるとともに、帯状部３０および滑り止め部３１がベース部２０のうち使用者の頭頂部または中央部に対応する位置に取り付けられるため、使用者の頭部に対する前後方向のずれも適切に抑制することができる。
【００２１】
さらに、第１実施形態に係るウィッグ１は、図３に示すように、帯状部３０の両端はベース部２０に固定されている一方、中央部分は予めベース部２０に固定されておらず、ベース部２０に対する滑り止め部３１の位置を自在に変更することが可能となっている。これにより、使用者は、使用者の頭部の形状に合わせて、滑り止め部３１の位置を使用者が所望する位置に設定することができる。
【００２２】
《第２実施形態》
次に、本考案の第２実施形態について説明する。図６は、第２実施形態に係るウィッグ１ａの側面図である。第２実施形態に係るウィッグ１ａでは、図６に示すように、帯状部３０ａの一方の端部３３，３３がベース部２０に固定されておらず、当該端部３３が、ベース部２０に取り付けられた帯状部調整部２４により把持されること以外は、第１実施形態に係るウィッグ１と同様の構成を有する。
【００２３】
すなわち、第２実施形態では、帯状部３０ａのうち帯状部調整部２４側の端部３３がベース部２０に固定されず解放された状態となっている。帯状部調整部２４は、たとえば、帯状部３０ａの幅に合わせたアジャスタやコキであり、帯状部３０ａの端部３３を把持することが可能となっている。ウィッグ１ａの使用者は、帯状部３０ａの端部３３を帯状部調整部２４に通し、使用者が所望する位置で、帯状部調整部２４に帯状部３０を係止させることで、帯状部３０ａの長さを調整することができる。なお、第２実施形態において、帯状部３０ａは、帯状部調整部２４により係止される位置までは、滑り止め部３１を形成しない構成とすることが好ましい。帯状部３０ａは使用を続けると伸縮性が損なわれる消耗品であるが、帯状部調整部２４を設けることで、帯状部３０ａを容易に交換することが可能となる。
【００２４】
このように、第２実施形態では、帯状部調整部２４により帯状部３０ａの長さを調整することができるため、帯状部３０ａを使用者の頭部の形状に応じた長さとすることができる。また、第２実施形態に係るウィッグ１ａでも、第１実施形態と同様に、帯状部３０ａの位置を自在に調整することが可能であるところ、帯状部３０ａの位置を、帯状部３０の両端を直線で結んだ位置（たとえば図６に示す帯状部３０ａの位置）から遠ざけるほど、帯状部３０ａの長さが必要となる。そのため、帯状部３０ａの位置の自在性を高めるためには、帯状部３０ａはある程度の長さを有する構成とすることが好ましい。しかしながら、帯状部３０ａの長さを長くしすぎてしまうと、帯状部３０ａを短く用いる使用者にとっては、帯状部３０ａの端部が余ってしまうという問題がある。これに対して、第２実施形態に係るウィッグ１ａでは、帯状部調整部２４で帯状部３０ａの長さを調整することができるため、このような問題を解決することもできる。
【００２５】
以上、本開示にて幾つかの実施形態を単に例示として詳細に説明したが、本考案の新規な教示及び有利な効果から実質的に逸脱せずに、その実施の形態には多くの改変例が可能である。
【００２６】
たとえば、上述した実施形態では、ウィッグ１は、滑り止め部３１を有する単一の帯状部３０を有する構成としているが、この構成に限定されず、滑り止め部３１を有する複数の帯状部３０を有する構成とすることができる。たとえば、図７に示すように、頭頂部および／または中央部に滑り止め部３１を２つ有する構成とすることができる。これにより、ウィッグ１のずれをより抑制することが可能となる。
【００２７】
また、上述した第２実施形態では、帯状部調整部２４により帯状部３０ａの長さを調整する構成を例示したが、この構成に限定されず、たとえば帯状部３０ａの裏側（使用者の頭部に接しない側）の複数個所に一対の面ファスナーを取り付け、当該面ファスナーを接合／解放することで、帯状部３０ａの長さを調整する構成とすることができる。
【００２８】
さらに、上述した実施形態では、滑り止め部３１を、ベース部２０の使用者の頭頂部または中央部に対応する位置に取り付ける構成を例示したが、この構成に限定されず、滑り止め部３１を、ベース部２０の使用者の前頭部または後頭部に対応する位置に取り付ける構成とすることもできる。また、上述した実施形態では、図２または図６に示すように、ベース２０のうち、使用者が装着した際に耳よりも前側となる位置に帯状体３０の両端部３２を固定する構成を例示したが、この構成に限定されず、ベース部２０のうち、耳の後側となる位置に帯状体３０の両端部３２を固定する構成とすることもできる。
【００２９】
加えて、上述した実施形態では、帯状部３０は、右側頭骨から左側頭骨に渡る長さを有し、使用者の頭部に対して左右方向に延在する構成を例示したが、この構成に限定されず、帯状部３０を後頭部側から前頭部側に渡る長さを有し、使用者の頭部に対して前後方向に延在する構成とすることもできる。
【符号の説明】
【００３０】
１…ウィッグ
１０…毛髪
２０…ベース部
２１…メッシュ素材積層部
２２…こめかみ部
２３…サイズ調整部
２３１…紐部
２３２…アジャスタ
２４…帯状部調整部
２５…生え際部
２６…位置調整機構
３０…帯状部
３１…滑り止め部
３２…端部
３３…端部
【図１】
0003226572.tif 000003
【図２】
0003226572.tif 000004
【図３】
0003226572.tif 000005
【図４】
0003226572.tif 000006
【図５】
0003226572.tif 000007
【図６】
0003226572.tif 000008
【図７】
0003226572.tif 000009